(57)【特許請求の範囲】
【請求項１】
インペラを有するモータと、前記モータを支持しつつ、内部に空気流路を有するハウジングと、前記モータに電流を供給するために前記モータから前記ハウジング外へ引き出されるリード線と、を備えるファンモータにおいて、前記ハウジングの一部が切り欠かれた凹部と、前記ハウジング壁面からその凹部にリード線の長手方向に違えて突出し、かつ、その凹部の開口を塞ぐように設けられた突出部とで、平面視で前記凹部の開口を塞ぐ係止部が形成され、前記リード線が前記係止部に係止されることを特徴とするファンモータ。
【請求項２】
前記ハウジングは、前記空気流路を有する外枠部と、前記空気流路の中心に前記モータを支持するモータ支持部と、前記外枠部に前記モータ支持部を支持するために形成され少なくとも一つに前記リード線を挿通する挿通部を有する複数の支持脚部とを備え、前記係止部が前記外枠に形成されており、前記リード線は、前記支持脚の挿通路を通り前記係止部に案内されている請求項１に記載のファンモータ。
【請求項３】
前記外枠部は、外周面に当該ファンモータを所定部に取り付けるために設けられた取付部を備え、前記係止部の少なくとも一方の突出部が前記取付部に形成されている請求項２に記載のファンモータ。
【発明の詳細な説明】
【０００１】
【発明の属する技術分野】
本発明は、ＯＡ機器や家電機器等の各種機器に使用されるファンモータに関し、特にそのモータから引き出されるリード線をファンモータに係止する係止構造に関する。
【０００２】
【従来の技術】
ファンモータは、コンピュータ、プリンタ、複写機、炊飯器、ゴミ処理機、便座、通信中継局等の各種機器に搭載され、搭載目的に応じてサイズだけでなく軸流型、シロッコ型等の特性が異なる各種タイプのものが使用される。ファンモータの基本な構造としては、インペラを有するモータと、このモータを支持しつつ内部に空気流路を形成するハウジングと、そのモータに電流を供給するためにそのハウジング外へ引き出されるリード線を備えている。リード線は、モータ内に設けられた回路基板を介して電機子と電気的に接続され、モータとは別に設けられる電源に電気的に接続される。なお、このリード線とは、電流が通る線材に絶縁用の被覆がなされたものである。
【０００３】
それ故に、モータ内のリード線は、ハウジング外へ引き出す途中に、空気流路内に浸入してインペラやモータのロータに接触したり、空気流の抵抗とならないように、或いは当該ファンモータを各種機器に取り付ける際の邪魔にならないように何らかの係止構造が必要となる。
【０００４】
これまでの係止構造としては、例えば、実開昭６２−１７８７７０号公報、実開昭６０−１０３２５０号公報、特開平６−６９５１号公報に記載のものが知られている。何れもハウジングは、矩形の外枠部と、この外枠部内に形成された空気流路の中心に位置するモータを支持するモータ支持部と、その外枠部にモータ支持部を支持するために形成された複数の支持脚とを備え、合成樹脂により一体成型されている。それら支持脚の一つには、モータに接続されたリード線が収容され外枠部まで案内する挿通路が形成され、挿通路の外枠部付近にはリード線がはみ出ないように係止する係止部が形成されている。係止部は、係止すべきリード線の線径よりも十分に大きい凹部と、その線径よりも小さい開口部からなる。リード線を係止するには、その開口部にリード線を押圧して押し込むことで凹部に案内され係止構造が完了する。
【０００５】
【発明が解決しようとする課題】
ところが、実開昭６２−１７８７７０号公報、実開昭６０−１０３２５０号公報、特開平６−６９５１号公報のような従来の係止構造は、リード線をこれ自信よりも狭い開口部に幾分押圧して押し込むようにして奥側に案内する構成であるため、その開口部をリード線が通過する際に局所的に負荷がかかり、リード線の被覆分部あるいは線材部分が破損する恐れがある。
【０００６】
このことは、そのような負荷がリード線にかからないように係止部の開口部をそれよりも幾分大きめの寸法関係に設定することで解決できるが、この係止構造は開口部の方向がリード線の長手方向に平行に形成されているため、そのような寸法関係にすると係止後のリード線が開口部を通過して簡単に外れてしまう。それ故に、リード線の線径よりも小さい開口部とする寸法関係はこの係止構造の必須事項であり、同構造においてはリード線への負荷は回避できない事項であった。
【０００７】
そこで、本発明の目的は、確実にリード線を係止することができ、しかもリード線を係止部に係止するときにリード線に損傷を受けるような負荷がかからないように係止することができる係止構造を備えるファンモータを提供することにある。
【０００８】
【課題を解決するための手段】
上記課題を解決するために、本発明のファンモータは、インペラを有するモータと、前記モータを支持しつつ、内部に空気流路を有するハウジングと、前記モータに電流を供給するために前記モータから前記ハウジング外へ引き出されるリード線と、を備えるファンモータにおいて、前記ハウジングの一部が切り欠かれた凹部と、前記ハウジング壁面からその凹部にリード線の長手方向に違えて突出し、かつ、その凹部の開口を塞ぐように設けられた突出部とで、平面視で前記凹部の開口を塞ぐ係止部が形成され、前記リード線が前記係止部に係止されることを特徴とする。
【００１４】
上記したファンモータにおいて、より詳細な前記ハウジングは、前記空気流路を有する外枠部と、前記空気流路の中心に前記モータを支持するモータ支持部と、前記外枠部に前記モータ支持部を支持するために形成され少なくとも一つに前記リード線を挿通する挿通部を有する複数の支持脚部とを備え、前記係止部が前記外枠に形成されており、前記リード線は、前記支持脚の挿通路を通り前記係止部に案内されているものとすることができる。
【００１５】
また、そのハウジングの外枠部は、この外周面に当該ファンモータを所定部に取り付けるために設けられた取付部を備え、前記係止部の少なくとも一方の突出部が前記取付部に形成されているものとすることができる。
【００１７】
【発明の実施の形態】
この発明のファンモータの第１実施形態について図１ないし図４を参照して説明する。但し、図１はファンモータの切断正面図、図２は図１の一部の斜視図、図３は図１の拡大斜視図、図４（ａ）は後述する底面側係止構造の上面図を示し、図４（ｂ）は後述する上面側係止構造の上面図を示す。なお、このファンモータは、ＯＡ機器内の冷却用に使用される軸流型ファンモータである。
【００１８】
このファンモータは、図１に示すように、合成樹脂により一体成型されてなるハウジング２と、これの内側に配置されるインペラ４を備えたモータ６とからなる。ハウジング２は、特に図２に示すように、矩形の外枠部８と、中央にモータ２を支持するためにその外枠部８の底面側に位置するベース部１０と、ベース部１０を外枠部８に連結して支持するためにベース部１０から外枠部８に放射状にのびる複数の支持脚１２とを備えている。外枠部８は、内側が略円筒状面である空気流路８ａを有し、外側は四隅の上下（底面側と上面側）に三角状の鍔部８ｂが形成され平面視にて矩形をなしている。各隅における上下の鍔部８ｂは、それらの間に形成され外枠部８の外周面からのびる柱部８ｃによって連結されている。上下の鍔部８ｂ及び柱部８ｃには、軸線方向に貫通する貫通孔８ｄが形成されており、この部位は貫通孔８ｄにネジを通して当該ファンモータをＯＡ機器等に取り付けるときの取付部となる。これにより、柱部８ｃと上下一対の鍔部８ｂと外枠部８の外周面とで窪部１８が形成されている。窪部１８は、一つの柱部８ｃの両側にそれぞれ形成されている。
【００１９】
このモータ６は、公知の構成であって、ベース部１０から立設する円筒部１０ａの外周面に電機子が嵌合され、円筒部１０ａの内周面に軸受手段が嵌合され、回転軸がこの軸受手段によって回転支持され、回転軸には合成樹脂製のインペラ４とともにカップ状のロータが一体成型され、ロータの内周面には磁性材からなるヨークを介して円筒状のマグネットが嵌合され電機子に対向している。電機子に電流が供給されると対向するマグネットとの磁気的相互作用によりロータに回転力が発生し、インペラ４が回転することで空気流路８ａを軸線方向に沿って矢印Ａの向きに空気流が生じる。
【００２０】
電機子の巻線は、ハウジング２のベース部１０と電機子との間に設けられた回路基板１４に接続され、さらに回路基板１４に接続された２本のリード線１６がベース部１０の切欠き１０ｂを通り、これに近接する支持脚１２に設けられた挿通路に収容され外枠部８まで案内される。挿通路は、収容されるリード線１６がはみ出ない程度の深さの溝が支持脚１２の長手方向にのびている。
【００２１】
リード線１６が支持脚１２の挿通路に収容されるのは、リード線１６が空気流路に浸入して回転中のインペラ４やロータに接触したり空気流の抵抗となることがないように、或いは当該ファンモータをＯＡ機器に取り付ける際の邪魔にならないようにするためである。このとき、リード線１６が移動して挿通路からはみ出ないように係止構造が必要となるが、本実施形態では次のような係止構造になっている。
【００２２】
上記したように、各支持脚１２は外枠部８の内周面にそれぞれ連結されているが、そのうちの挿通路を備えた支持脚１２（図２では左下隅）は、挿通路がさらに外枠部８の内周面をこえて外周面まで形成されており、底面側の鍔部８ｂにつながっている。そして、この挿通路の端部１２ａにつながるように、鍔部８ｂの側面から内側に切り込まれて凹部２２が形成されている。この凹部２２は、その鍔部８ｂの側面から斜め内側にその挿通路の幅と同等の長さだけ切り欠かれ、この切欠き幅は一定である。
【００２３】
さらに、図３に示すように、その底面側の鍔部８ｂと外枠部８の外周面とはテーパ状につながる肉厚部８ｅを有しており、この肉厚部８ｅには、その凹部２２の上方を覆うように水平に突出する突出部２４が形成されている。突出部２４は、帯状でその先端が鍔部８ｂの側面から飛び出さないように斜めに切り落とされたような形状となっている。この突出部２４の下面と凹部２２の上面とで形成される間隙２０の間隔ｄ１は、リード線１６の線径と同等かもしくは幾分大きく設定されている。そして、突出部２４は、図４（ａ）で示すように、凹部２２の奥側から２本のリード線１６が収容できる程度の空間を残して、平面視で凹部２２の開口を塞ぐように位置し矩形孔３０を形成している。
【００２４】
次に、上面側の鍔部８ｂには、底面側の凹部２２の開口方向と同じ側面より内側に切り込まれて凹部２６が形成されている。この凹部２６は、その鍔部８ｂの側面から斜め内側に上記凹部２２と同じ程度の長さだけ切り欠かれ、この切欠き幅は同一である。
【００２５】
さらに、凹部２６を有する上面側の鍔部８ｂにおいて、外枠部８の外周面からその凹部２６の下方を覆うように水平に突出する突出部２８が形成されている。突出部２８は、三角状でその先端が鍔部８ｂの側面から飛び出さないように斜めに切り落とされたような形状となっている。この突出部２８の上面と凹部２６の下面とで形成される間隙２１の間隔ｄ２は、リード線１６の線径と同等かもしくは幾分大きく設定されている。そして、突出部２８は、図４（ｂ）で示すように、凹部２６の奥側から２本のリード線１６が収容できる程度の空間を残して、平面視で凹部２６の開口を塞ぐように位置し矩形孔３２を形成している。
【００２６】
このような外枠部８の構成において、２本のリード線１６は、図３に示すように、底面側の鍔部８ｂにおける支持脚１２の挿通路から導出された後、凹部２２に案内され、凹部２２の奥側と突出部２４の内側面とからなる空間を通り、さらに窪部１８を通って突出部２８の内側面と凹部２６の奥側とからなる空間を通り、上面側の鍔部８ｂの上方に導出される。
【００２７】
これら２本のリード線１６の係止手順は、回路基板１４から導出されたリード線１６を支持脚１２の挿通路に収容して外枠部８の外周側に断線しない程度に引っ張って導出する。そして、導出されたリード線１６の所定部位を屈曲させて凹部２２の開口に案内して、突出部２４と凹部２２との間隙２０を挿通して凹部２２の奥側へ押し込み、リード線１６の先端を窪部１８に引き出す。これによりリード線１６は、凹部２２と突出部２４とで係止される（以下、底面側係止構造という）。さらに、リード線１６を突出部２８の外側に案内して、所定部位を屈曲させて突出部２８と凹部２６との間隙２１を挿通して凹部２６の奥側へ押し込み、リード線１８の先端をその凹部２６の上面側に引き出す。これにより、リード線１６は、凹部２６と突出部２８とで係止される（以下、上面側係止構造という）。
【００２８】
この底面側係止構造は、上記したように凹部２２と突出部２４とが図４（ａ）に示すような位置関係にあり、リード線１６がその矩形孔３０を挿通するようになるため、そのリード線１６は周囲を取り囲まれ全方向の移動が規制される。つまり、図４（ａ）において、矩形孔３０のＮ方向とＷ方向とは凹部２２を形成する鍔部８ｂによって移動規制され、Ｅ方向は凹部２２を形成する外枠部８の壁面により移動規制され、Ｓ方向は突出部２４にて移動規制され、凹部２２と突出部２４の単独では、リード線１６周囲の全方向の移動規制することはできないが、両者を合わせることでリード線１６周囲の全方向の移動規制を実現している。
【００２９】
この構成は、換言するとハウジング２を構成する外枠部８壁面からこのリード線１６の長手方向に違えて突出する２個の突出部（一方は突出部２４で、他方は底面側の鍔部８ｂにおいて凹部２２のＷ方向とＮ方向の部位に相当）が設けられ、さらに、その外枠部８壁面およびそれら突出部がリード線１６の周囲の全方向の移動を規制するように位置し、外枠部８の壁面とそれら突出部とで係止部が形成され、リード線１６がこの係止部に係止されている。
【００３０】
特に、凹部２２と突出部２４との間隙２０の間隔ｄ１は、リード線１６の線径と同等若しくは幾分大きく設定されているため、リード線１６がその間隙２０を挿通するときに、リード線１６には何ら負荷がかからないまま凹部２２の奥側に案内できる。
【００３１】
加えて、凹部２２（矩形孔３０）内に収容されたリード線１６は、凹部２２と突出部２４とがリード線１６の長手方向に違えて位置し、その間隙２０はリード線１６の長手方向に対して直交する方向に開口して形成されるようになり、この間隙２０を挿通するにはリード線１６を間隙２０に平行となるように屈曲させなければならない。通常の場合、係止後のリード線１６がそのように屈曲することはなく、実質的にリード線１６が外れることはない。しかし、リード線１６をその間隙２０に平行となるように外力を加えて屈曲させればその間隙２０を容易に通過し外すこともできる。
【００３２】
また、リード線１６の係止作業は、リード線１６の途中部分をそのままそれぞれの凹部２２内に案内して引っかけるような極めて簡単なもので、熟練を要するものではない。
【００３３】
さらに、この係止構造は、ハウジング２における隅部に位置する窪部１８にて形成されており、この窪部１８はデッドスペースであるためスペースの有効活用を図ることができると共に、外部に突出しないため、ＯＡ機器等に取り付ける際の邪魔にならない。
【００３４】
一方、上面側係止構造においても、上記底面側係止構造と本質的に同様の構成であって、凹部２６と突出部２８とによってリード線１６を係止する構成であり、同様の効果が得られるものであるので、詳説は省略する。
【００３５】
ところで、係止構造を構成する上記間隙２０、２１の間隔ｄ１、ｄ２は、リード線１６の線径と同等かもしくは幾分大きく設定するとしているが、その上限は線径の約２倍程度まで設定してもよい。このように線径に対して十分大きい間隙とすると、リード線１６を係止する時および外すときに一層作業性が良好となると共に、線径の変更がある場合にも係止構造に支障を来さないし、線径が異なる各種ファンモータに適用でき部品の共通化が図れる。ただし、その上限が線径の約２倍程度を越えると、それだけリード線１６が外れやすくなる。
【００３６】
また、矩形孔３０、３２は、２本のリード線１６が収容できる程度の大きさに設定されているが、これはリード線１６が２本であるときを考慮して例示しただけで、リード線が１本のときであれば１本が収容できる程度、或いは３本であれば３本が収容できる程度の大きさにすればよいが、可能な限り大きくしておくことで、リード線の線径や本数の変更があっても対応することができ部品の共通化が図れる。
【００３７】
次に、第１実施形態の変形例として、図５に示すように底面側係止構造を変形することができる。即ち、第１実施形態での突出部２４は、肉厚部８ｅから突出していたが、変形例では図５に示すように、底面側の鍔部８ｂを切り欠いて凹部２２’を形成し、鍔部８ｂに三角状に残した部位に２個の突出部が形成されている。一方の突出部２４ａ’は、凹部２２’の上方にて、凹部２２’の奥側に２本のリード線１６が収容できる空間を残して覆っている。他方の突出部２４ｂ’は、鍔部８ｂに段差部を形成し、その凹部２２’の一部を構成すると共にその一方の突出部２４ａ’の先端が平面視にて重なるような位置関係に形成されている。加えて、突出部２４ａ’の下面と突出部２４ｂ’の上面とで形成される間隙２０’の間隔ｄ３は、リード線１６の線径と同等か幾分大きく設定されている。リード線１６は、凹部２２’と突出部２４ａ’とで形成される矩形孔により収容されリード線１６の周囲の全方向の移動が規制されて底面側係止構造が構成されている。なお、突出部２４ａ’、２４ｂ’の上下を入れ替えて形成してもよい。
【００３８】
この構成においても、ハウジング２を構成する外枠部８壁面からこのリード線１６の長手方向に違えて突出する２個の突出部２４ａ’、２４ｂ’が設けられ、さらに、そのハウジング２を構成する外枠部８壁面およびそれら突出部２４ａ’、２４ｂ’がリード線１６の周囲の全方向の移動を規制するように位置し、外枠部８の壁面とそれら突出部２４ａ’、２４ｂ’とで係止部が形成され、リード線１６がこの係止部に係止されている。この変形例は、係止構造が鍔部８ｂの側面のみならず上下面からもはみ出ないように形成されており、外観が良好となると共に、窪部１８の容積が少ないときに有効である。
【００３９】
さらに、第１実施形態の別の変形例として、図６に示すように上面側係止構造を変形することができる。即ち、第１実施形態での突出部２８は、上面側の鍔部８ｂの下方に形成されていたが、変形例では図６に示すように、上面側の鍔部８ｂを切り欠いて凹部２６’を形成し、鍔部８ｂに三角状に残した部位に２個の突出部が形成されている。一方の突出部２８ａ’は、凹部２６’の上方を凹部２６’の奥側に２本のリード線１６が収容できる空間を残して覆っている。他方の突出部２８ｂ’は、鍔部８ｂに段差部を形成し、その凹部２６’の一部を構成すると共にその一方の突出部２８ａ’の先端が平面視にて重なるような位置関係に形成されている。加えて、突出部２８ａ’の下面と突出部２８ｂ’の上面とで形成される間隙２１’の間隔ｄ４は、リード線１６の線径と同等か幾分大きく設定されている。リード線１６は、凹部２６’と突出部２８ａ’とで形成される矩形孔により収容されリード線１６の周囲の全方向の移動が規制されて底面側係止構造が構成されている。なお、突出部２８ａ’、２８ｂ’の上下を入れ替えて形成してもよい。この変形例では、図５に示す変形例と同様に、係止構造が鍔部８ｂからはみ出ないように形成されている。
【００４０】
次に第２の実施形態のファンモータについて説明する。本実施形態は、第１実施形態のファンモータと基本的な構成および作用効果が同じなので相違点を中心に説明する。本実施形態は、図７において、外枠部８の底面側および上面側に係止構造が構成されているが、２カ所の係止構造が外枠部８の壁面から突出する３個の突出部によって構成されているところに特徴がある。
【００４１】
即ち、図７において、底面側の鍔部８ｂの側面から斜め内側に切り欠かれて凹部４２が形成されている。そして、外枠部８の外周面から、その凹部４２の上方を覆うように三角状に突出する突出部４４が形成されている。突出部４４は、凹部４２の奥側にリード線１６が収容できる程度の空間を残して凹部の４２の開口側を塞ぐようにして位置し平面視で矩形孔を形成している。突出部４４の下面と凹部４２の上面とで形成される間隙４８の間隔ｄ５は、リード線１６の線径と同等もしくは幾分大きい。リード線１６は、その矩形孔に収容されるため凹部４４と突出部４４とで全方向の移動規制がなされ、底面側係止構造を構成している。
【００４２】
さらに、上面側の鍔部８ｂの側面から斜め内側に切り欠かれて凹部４６が形成されている。凹部４６は、その突出部４４によって開口側を塞ぐように位置し平面視で矩形孔を形成している。突出部４４の上面と凹部４６の下面とで形成される間隙４９の間隔ｄ６は、リード線１６の線径と同等もしくは幾分大きく設定されている。リード線１６は、その矩形孔に収容され、上記と同様に上面側係止構造を構成している。
【００４３】
本実施形態は、凹部４２、４６が外枠部８の壁面と鍔部８ｂが切り欠かれてなる突出部とから形成されているため、突出部４４と合わせて外枠部８からリード線１６の長手方向に違えて突出する３個の突出部とその外枠部８の壁面とで係止部が形成され、リード線１６を係止している。本実施形態は、第１実施形態とは異なり、２カ所の係止構造を３個の突出部にて構成されるため、形状が簡略化されるとともに、ハウジング２の厚みが薄い場合に適用しやすい。
【００４４】
次に、第３の実施形態のファンモータについて説明する。本実施形態は、第１、２実施形態のファンモータと基本的な構成および作用効果が同じなので相違点を中心に説明する。本実施形態は、第２の実施形態をさらに簡略化したもので、係止構造が１カ所のみの構成である。
【００４５】
図８において、本実施形態の外枠部８は、上記実施形態のように各隅部の鍔部が上下に独立して形成されるのではなく、上下がつながった形状となっている（符号８ｂ’とする）。この鍔部８ｂ’の側面から斜め内側に切り欠いて凹部５２を形成し、鍔部８ｂ’に三角状に残した部位に２個の突出部が形成されている。一方の突出部５４は、凹部５２の上方を凹部５２の奥側に２本のリード線１６が収容できる空間を残して覆っている。他方の突出部５６は、鍔部８ｂ’に段差部を形成し、その凹部５２の一部を構成する共にその一方の突出部５４の先端が平面視にて重なるような位置関係に形成されている。加えて突出部５４の下面と突出部５６の上面とで形成される間隙５８の間隔ｄ７は、リード線１６の線径と同等もしくは幾分大きく設定されている。リード線１６は凹部５２と突出部５４とで形成される矩形孔により収容されリード線１６の周囲の全方向の移動を規制されて係止構造が構成されている。なお、突出部５４、５６の上下を入れ替えて形成されていてもよい。本実施形態では、さらに構造の簡略化が図れると共に、ハウジング２の厚みが薄い場合に適用しやすい。
【００４６】
以上、本発明のファンモータにかかる実施形態について説明したが、本発明はこれらに限定されるものではなく、その趣旨を逸脱しない範囲で種々の変更が可能である。例えば、各実施形態は、ハウジング２を構成する外枠部８の隅部に係止構造を構成した場合を例示したが、隅部以外に設けてもよい。また、全て軸流型ファンモータを例示したが、これ以外にシロッコ型等の別タイプのファンモータにて適用してもよい。
【００４７】
【発明の効果】
以上より、本発明のファンモータは、リード線を容易に係止することができ、係止されたリード線は、そのままでは簡単に外れることはないが、一定の外力を加えることで容易に外すこともできる。リード線を係止部に係止するときに、リード線が破損するような負荷をかけずに行うことができ、リード線の損傷を原因とする不良を低減することができファンモータの不良率低減につながる。また、さらに、係止部は、リード線の本数や線径の変さらにも対応できるものなので、ハウジングの部品の共通化を図ることができる。
【図面の簡単な説明】
【図１】本発明の第１実施形態のファンモータ示す切断正面図である。
【図２】図１におけるファンモータのハウジングを示す斜視図である。
【図３】図１の拡大斜視図である。
【図４】（ａ）は図１の底面側係止構造の上面図であって、（ｂ）は図１の上面側係止構造の上面図である。
【図５】第１実施形態の変形例のファンモータを示す拡大斜視図である。
【図６】第１実施形態の別の変形例のファンモータを示す拡大斜視図である。
【図７】本発明の第２実施形態のファンモータを示す拡大斜視図である。
【図８】本発明の第３実施形態のファンモータを示す拡大斜視図である。
【符号の説明】
２  ハウジング
４  インペラ
６  モータ
８  外枠部
８ａ  空気流路
８ｂ、８ｂ’  鍔部
８ｃ  柱部
８ｄ  貫通孔
８ｅ  肉厚部
１０  ベース部
１２  支持脚
１４  回路基板
１６  リード線
１８  窪部
２０、２１、２０’、２１’４８、４９、５８  間隔
２２、２６、２２’、２６’、４２、４６、５２  凹部
２２、２８、２４ａ’、２４ｂ’、２８ａ’、２８ｂ’、４４、５４、５６  突出部
３０、３２  矩形孔
【図１】
0004774656.tif 000002
【図２】
0004774656.tif 000003
【図３】
0004774656.tif 000004
【図４】
0004774656.tif 000005
【図５】
0004774656.tif 000006
【図６】
0004774656.tif 000007
【図７】
0004774656.tif 000008
【図８】
0004774656.tif 000009